(57)【要約】【課題】外部に露出する操作部がなく、外観デザインの自由度を向上するとともに、仰角の調整作業の煩わしさが軽減されたプロジェクタを提供する。【解決手段】スライド部材３の係合爪部３１は、上面が先端から上方に向かう斜面３１ａ、下面が先端から略水平なフラット面３１ｂに形成されている。昇降部材１２のネジ部１２１は、上面に先端から略水平なフラット面１２１ａ、下面が先端から下方に向かう傾斜する斜面１２１ｂに形成されている。スライド部材３はバネ６によって付勢され、昇降部材１２のネジ部１２１に係合している。この構成で、昇降部材１２１を下方に引き出して仰角を大雑把に調整しておき、昇降部材１２を回転させれば微調整が行える。【選択図】図２
2008298917.tif 000002
【特許請求の範囲】
【請求項１】
本体と、該本体の底面に設けられた昇降機構とを有し、前記昇降機構によって本体の仰角を調整するようにしたプロジェクタにおいて、
前記本体内に水平方向にスライド自在に設けられ、先端に係合爪部を有するスライド部材と、
前記スライド部材を付勢する付勢部材と、
前記本体の底面前部に設けられた開口に挿通された円柱状の脚部、該脚部の下端に一体に形成され本体の底面の下方に突出可能な足部、及び、前記脚部の外周部に螺旋状に設けられ、前記スライド部材の係合爪部が係合されるネジ部、を有し、上下動自在、かつ、回転可能に配設された昇降部材と、
を備え、
スライド部材の前記係合爪部は、上面が先端から上方に向かう斜面、下面が先端から略水平なフラット面に形成され、
昇降部材の前記ネジ部は、上面に先端から略水平なフラット面、下面が先端から下方に向かう傾斜する斜面に形成され、
前記本体の仰角を大幅に調整するときは、前記昇降部材を下方に引き出すことにより、スライド部材の前記係合爪部が、昇降部材の前記ネジ部を乗り越えるようにして、係合部位を相対的に上方へ移動させ、
前記本体の仰角を小幅に調整するときは、前記昇降部材を回転させることにより、スライド部材の前記係合爪部が、昇降部材の前記ネジ部に沿って案内されるようにして、係合部位を相対的に上方又は下方へ移動させることを特徴とするプロジェクタ。
【請求項２】
昇降部材の前記足部に、把持手段を設けたことを特徴とする請求項１に記載のプロジェクタ。
【請求項３】
前記把持手段は、昇降部材の前記足部に設けられた円板部と、該円板部の周囲に等間隔に刻まれた複数の浅い縦溝と、から成ることを特徴とする請求項２に記載のプロジェクタ。
【発明の詳細な説明】
【技術分野】
【０００１】
本発明は、机や床面に置いて使用するプロジェクタの仰角を変更するための昇降機構を備えたプロジェクタに関するものである。
【背景技術】
【０００２】
従来のプロジェクタの昇降機構について図面を参照して説明する。
【０００３】
図７は、従来のプロジェクタのケース前部中央付近における、昇降部材の昇降動作がロックされた状態を示す側断面図である。プロジェクタ１０１のケース１０２の上面１０２ｂには、昇降ボタン１０３が所定の垂直距離だけ上下動自在に設けられている。昇降ボタン１０３は、テーブル状の操作部１０３ａがケース１０２の上面１０２ｂに設けた開口１０４から出没可能であり、操作部１０３ａの下端外縁よりも外側に張り出す台座部１０３ｂが、ケース１０２の上面１０２ｂに当接する位置を最上位、ケース１０２の上面１０２ａの内側に一体に形成された最下位規定リブ１０５に当接する位置を最下位として上下動される。
【０００４】
昇降ボタン１０３の下方には、棒状のロック解除部材１０６が、ケース１０２の前面１０２ａに一体に設けられたガイドレール１０７に、上下方向にスライド自在に配設されている。ロック解除部材１０６の上端には、後方に向けて作用片１０６ａが延設され、作用片１０６ａには、昇降ボタン１０３の台座部１０３ｂの底面に常時接触している。ロック解除部材１０６の下端には、前方に斜面を有する爪部１０６ｂが形成されている。
【０００５】
ロック解除部材１０６の下方には、上下に貫通する角穴１０８ａを有する角筒状のロック部材１０８が、ケース１０２の底面１０２ｃに一体に設けられたガイドリブ１０９によって左右方向（図７の紙面前後方向）の移動が規制された状態で、前後方向（図７の紙面左右方向）に移動可能に設けられている。ロック部材１０８の上面には、前方に斜面を有する作用溝１０８ｂが凹設され、作用溝１０８ｂの前方斜面に、ロック解除部材１０６の爪部１０６ｂの前方斜面が常時当接している。ロック部材１０８の角穴１０８ｂの前壁面には、上下方向に並ぶ歯群１０８ｃが形成されている。そして、ロック部材１０８の前面とケース１０２の前面１０２ａにそれぞれ凸設された突起１０８ｄ、１１０に、押縮させた圧縮バネ１１１を配置することにより、ロック部材１０８を後方に付勢している。
【０００６】
ロック解除部材１０６の後方には、ケース１０２の底面１０２ｃにガイドリブ１０９と共に一体に形成されたガイドレール１１３に、昇降部材１１２が、角柱状の脚部１１２ａにて上下方向にスライド自在（昇降自在）に配設されている。脚部１１２ａは、ロック部材１０８の角穴１０８ａとケース１０２の底面１０２ｃ前部に設けられた開口１１４に挿通され、下端に、ケース１０２の底面１０２ｃの下方に突出して机や床の面に当接する円板形の足部１１２ｂを一体に有している。足部１１２ｂは、昇降部材１１２が最上位にあるとき、開口１１４の周囲に座繰り状に形成された凹部１１５に嵌ることで、ケース１０２の底面１０２ｃに収まるようになっている。脚部１１２ａの前面には、上下方向に並ぶ歯群１１２ｃがほぼ全域に形成されている。歯群１１２ｃの一部は、ロック部材１０８が後方に付勢された状態でロック部材１０８の歯群１０８ｃと噛み合って、昇降部材１１２の昇降動作をロックする。
【０００７】
以上の構成で、図７に示すように、昇降ボタン１０３の操作部１０３ａが下方に押下されると、台座部１０３ｂがロック解除部材１０６の作用片１０６ａに作用してロック解除部材１０６を下方に押下げる。これにより、ロック解除部材１０６の爪部１０６ｂがロック部材１０８の作用溝１０８ｂに作用して、ロック部材１０８が付勢に抗して前方に押動される。この結果、図８に示すように、歯群１０８ｃ、１１２ｃの噛み合い（ロック）が解除され、昇降部材１１２が昇降自在となる。こうして昇降部材１１２を昇降させ、足部１１２ｂの突出量を適切に調節した後、昇降ボタン１０３を押下していた力を除くと、再び歯群１０８ｃ、１１２ｃが噛み合うため、昇降部材１１２はロックされる。以上の動作によってケース１０２の前部を必要な高さだけ底上げしながら、プロジェクタ１０１の仰角の調整を行うことができる。
【０００８】
また、特許文献１〜３には、プロジェクタの昇降機構において、昇降部材の側面に係合する係合部を有する操作部材をスライド自在に設け、操作部材を係合状態に付勢しておき、プロジェクタの仰角の調整を行う際には、外部から操作部材を操作して係合を解除することにより、昇降部材を上下動可能とするものが記載されている。
【特許文献１】特開２００４−３６１６０３号公報
【特許文献２】特開平９−５４３７０号公報
【特許文献３】実用新案登録第３０８７１８２号公報
【発明の開示】
【発明が解決しようとする課題】
【０００９】
上述した従来のプロジェクタの昇降機構の構成では、昇降ボタンや操作部材が外部に露出し、見栄えが悪く、外観デザインの自由度も低いという問題があった。これに対し、昇降機構を昇降ボタンや操作部材の不要なネジ方式としたものもあるが、ネジ方式だと調整に手間と時間が掛かり、作業が煩わしくなる問題がある。
【００１０】
本発明は、上記従来の課題に鑑みてなされたものであり、外部に露出する操作部がなく、外観デザインの自由度を向上するとともに、仰角の調整作業の煩わしさが軽減されたプロジェクタを提供することを目的とする。
【課題を解決するための手段】
【００１１】
上記目的を達成するために請求項１のプロジェクタは、本体と、該本体の底面に設けられた昇降機構とを有し、前記昇降機構によって本体の仰角を調整するようにしたプロジェクタにおいて、前記本体内に水平方向にスライド自在に設けられ、先端に係合爪部を有するスライド部材と、前記スライド部材を付勢する付勢部材と、前記本体の底面前部に設けられた開口に挿通された円柱状の脚部、該脚部の下端に一体に形成され本体の底面の下方に突出可能な足部、及び、前記脚部の外周部に螺旋状に設けられ、前記スライド部材の係合爪部が係合されるネジ部、を有し、上下動自在、かつ、回転可能に配設された昇降部材と、を備え、スライド部材の前記係合爪部は、上面が先端から上方に向かう斜面、下面が先端から略水平なフラット面に形成され、昇降部材の前記ネジ部は、上面に先端から略水平なフラット面、下面が先端から下方に向かう傾斜する斜面に形成され、前記本体の仰角を大幅に調整するときは、前記昇降部材を下方に引き出すことにより、スライド部材の前記係合爪部が、昇降部材の前記ネジ部を乗り越えるようにして、係合部位を相対的に上方へ移動させ、前記本体の仰角を小幅に調整するときは、前記昇降部材を回転させることにより、スライド部材の前記係合爪部が、昇降部材の前記ネジ部に沿って案内されるようにして、係合部位を相対的に上方又は下方へ移動させることを特徴としている。
【００１２】
また、本発明の請求項２に係るプロジェクタは、請求項１に記載のプロジェクタにおいて、昇降部材の前記足部に、把持手段を設けたことを特徴としている。
【００１３】
また、本発明の請求項３に係るプロジェクタは、請求項２に記載のプロジェクタにおいて、前記把持手段は、昇降部材の前記足部に設けられた円板部と、該円板部の周囲に等間隔に刻まれた複数の浅い縦溝と、から成ることを特徴としている。
【発明の効果】
【００１４】
請求項１のプロジェクタによると、昇降部材を下方に引き出すようにして取り敢えず本体の仰角を大まかに調整しておき、次いで昇降部材を回転させることにより微調整を行うことで、素早く所望の仰角に設定することができる。したがって、所望の仰角になるまでひたすらネジを回すような操作の煩わしさが軽減される。また、外部に露出する操作ボタンのようなものがなく、見栄えが良く外観デザインの自由度が向上する。
【００１５】
請求項２のプロジェクタによると、昇降部材の足部に把持手段を備えたから、昇降部材の引き出しと回転の操作が容易に行える。
【００１６】
請求項３のプロジェクタによると、円板部の周囲に設けた縦溝が昇降部材回転時の滑り止めとなり、昇降部材の回転操作がしやすくなる。
【発明を実施するための最良の形態】
【００１７】
本発明に係るプロジェクタの昇降機構の実施形態について図面を参照して説明する。
【００１８】
図１は、本発明が適用されるプロジェクタの外観を示す斜視図である。図１に示すように、プロジェクタ１は、机や床面などの設置面に該当するベースＢＳ上に置かれており、ケース（本体）２の前面２ａに投射口２ｈを備えている。
【００１９】
ケース２の底面２ｃには、前面２ａ側に２つの支持部材１６が設けられ、背面側２ｃに２つの支持部材１７が設けられている。ケース２はこれらの支持部材１６、１７によって４点が支持されており、ベースＢＳとケース２の底面２ｃとの間には隙間が形成されるようになっている。
【００２０】
さらにプロジェクタ１は、ケース２の内部の前部略中央に、後述する昇降部材１２を有している。必要に応じてケース２を持ち上げて昇降部材１２を引き出すことにより、足部１２ｂをケース２の底面２ｃから突出させることができる。足部１２ｂを突出させてからケース２を再びベースＢＳ上に載置すれば、ケース２は後方の２つ支持部材１７と足部１２ｂとによって３点がベースＢＳ上に支持されることになり、前面２ａ側が相対的に高くなる、傾いた姿勢をとるため、プロジェクタ１の仰角を変更することができる。なお、プロジェクタ１の仰角は、昇降部材１２を回転させることにより足部１２ｂの突出量の微調整が行え、適切な角度に調整することができる。
【００２１】
次に、本発明に係るプロジェクタの昇降機構を詳しく説明する。
【００２２】
図２は、本発明のプロジェクタのケース前方下部中央付近における、プロジェクタを机上に置いた状態を示す側断面図である。図２に示すように、ケース２内には、底面２ｃ上に、スライド部材３が水平方向にスライド自在に設けられている。スライド部材３の先端には、係合爪部３１が形成されている。係合爪部３１は、上面が先端から上方に向かう斜面３１ａ、下面が先端から略水平なフラット面３１ｂに形成されている。また、スライド部材３は、ケース２の前壁内面に配置されたバネ６によって後方に付勢されている。
【００２３】
スライド部材３の後方には、ケース２の底面２ｃに一体に形成されたガイド筒１３内に、昇降部材１２が、円柱状の脚部１２ａにて上下動自在、かつ、回転可能に配設されている。脚部１２ａは、ケース２の底面２ｃ前部に設けられた開口１４に挿通され、下端に、ケース２の底面２ｃの下方に突出して机の面に当接する円板形の足部１２ｂを一体に有している。脚部１２ａの外周には、ネジ部１２１が螺旋状に一体的に形成されている。ネジ部１２１は、上面に先端から略水平なフラット面１２１ａ、下面が先端から下方に向かう傾斜する斜面１２１ｂに形成されている。
【００２４】
ガイド筒１３の前部下端部には矩形の貫通口１３ａが設けられており、この貫通口１３ａを介して上記スライド部材３がガイド筒１３内に挿通されている。そして、スライド部材３の係合爪部３１が、昇降部材１２のネジ部１２１に係合している。
【００２５】
プロジェクタ１を机上に置いた状態では、スライド部材３の係合爪部３１が、昇降部材１２のネジ部１２１に係合されるとともに、係合爪部３１とネジ部１２１のフラット面同士３１ｂ、１２１ａが当接し、昇降部材１２の上方への移動が規制される。これにより、ケース２の前部が、所定長さ下方へ突出した昇降部材１２に支えられることになり、プロジェクタ１の前方を傾斜させた状態で維持することが可能となる。
【００２６】
次に、上記構成の昇降機構を備えたプロジェクタの仰角の調整動作について説明する。
【００２７】
図３及び図４は、本発明のプロジェクタのケース前方下部中央付近における、昇降部材の引き出し操作によって仰角を大幅に調整する動作、及び、昇降部材の回転操作によって仰角を小幅に調整する動作をそれぞれ説明する側断面図である。
【００２８】
図３に示すように、足部１２ｂを把持して昇降部材１２を下方に引き出すと、昇降部材１２のネジ部１２１とスライド部材３の係合爪部３１の斜面同士１２１ｂ、３１ａが接触し、昇降部材１２の下向きの動きが、スライド部材３の水平方向の動きに変換され、スライド部材３はバネ６の付勢に抗して前方へ移動する。この結果、スライド部材３の係合爪部３１は、昇降部材１２のネジ部１２１を次々に乗り越えるようにして、係合部位を相対的に上方へ移動させる。これにより、所望する仰角に見合ったおおよその突出量だけ昇降部材１２の足部１２ｂをケース２の下方へ素早く突出させることが可能となる。
【００２９】
次に、図４に示すように、足部１２ｂを把持した状態で昇降部材１２を回転させると、スライド部材３の係合爪部３１は、昇降部材１２のネジ部１２１に沿って案内されるようにして、係合部位を相対的に上方又は下方へ移動させる。これにより、プロジェクタ１が所望する仰角になるまで、昇降部材１２の足部１２ｂの突出量を微調整することが可能となる。
【００３０】
上記の実施形態によると、昇降部材１２を下方に引き出すようにして取り敢えず仰角を大まかに調整しておき、次いで昇降部材１２を回転させて微調整を行うことで、素早く所望の仰角に設定することができる。したがって、所望の仰角になるまでひたすらネジを回すような操作の煩わしさが軽減される。また、外部に露出する操作ボタンのようなものがなく、見栄えが良く外観デザインの自由度が向上する。
【００３１】
本発明は、上記の実施形態には限定されず、種々の変形を加えて実施することができる。例えば、上記の実施形態では、昇降部材１２ネジ部１２１は、脚部１２ａの外径の外側へ突出する螺旋状の突条として形成しているが、図５に示すように、脚部１２ａの外周に螺旋状に刻まれた溝として構成してもよい。また、昇降部材１２の引き出しと回転の操作を容易にするために、昇降部材１２の足部１２ｂに、把持手段を設けてもよい。このような把持手段としては、例えば、図６に示すように、足部１２ｂに円板部１２２を設け、この円板部１２２の周囲に等間隔に複数の浅い縦溝１２２ａを刻むことにより形成することができる。これによれば、円板部１２２の周囲に設けた縦溝１２２ａが、昇降部材１２の回転時の滑り止めとなり、昇降部材１２の回転操作がしやすくなる
【産業上の利用可能性】
【００３２】
本発明は、机や床面に置いて使用されるプロジェクタに利用することができる。
【図面の簡単な説明】
【００３３】
【図１】は、本発明が適用されるプロジェクタの外観を示す斜視図である。
【図２】は、本発明のプロジェクタのケース前方下部中央付近における、プロジェクタを机上に置いた状態を示す側断面図である。
【図３】は、本発明のプロジェクタのケース前方下部中央付近における、昇降部材の引き出し操作によって仰角を大幅に調整する動作を説明する側断面図である。
【図４】は、本発明のプロジェクタのケース前方下部中央付近における、昇降部材の回転操作によって仰角を小幅に調整する動作を説明する側断面図である。
【図５】は、本発明の昇降部材の変形例を示す側面図である。
【図６】は、本発明の昇降部材の他の変形例を示す側面図である。
【図７】は、従来のプロジェクタのケース前部中央付近における、昇降部材の昇降動作がロックされた状態を示す側断面図である。
【図８】は、従来のプロジェクタのケース前部中央付近における、昇降ボタンを押して昇降部材の昇降自在にした状態を示す側断面図である。
【符号の説明】
【００３４】
１    プロジェクタ
２    ケース
２ｃ  ケースの底面
３    スライド部材
３１  係合爪部
３１ａ  斜面
３１ｂ  フラット面
６    バネ
１２  昇降部材
１２ａ  脚部
１２ｂ  足部
１２１  ネジ部
１２１ａ  フラット面
１２１ｂ  斜面
【図１】
2008298917.tif 000003
【図２】
2008298917.tif 000004
【図３】
2008298917.tif 000005
【図４】
2008298917.tif 000006
【図５】
2008298917.tif 000007
【図６】
2008298917.tif 000008
【図７】
2008298917.tif 000009
【図８】
2008298917.tif 000010